(57)【要約】【課題】本発明は、ナビゲーション装置、ナビゲーション装置のサービス装置及びナビゲーション装置によるサービス提供方法に関し、例えばカーナビゲーション装置に適用して、ユーザーに負担を強いることなく、ユーザーに有意義な情報を的確に提供することができるようにする。【解決手段】本発明は、ユーザーにより地図上に設定されたアイコンを基準にして、ユーザーの嗜好に合致する店舗等のジャンル、該ジャンルにおいてユーザーの嗜好に合致する傾向を検出し、これらの検出結果に基づいて、店舗及び又は施設に係る情報を選択的にユーザーに提供する。【選択図】　　　　図１
2004037292.tif 000002
【特許請求の範囲】
【請求項１】
店舗及び又は施設のジャンルを示すアイコンを地図上に表示してユーザーを道案内するナビゲーション装置において、
前記地図上における前記アイコンの表示の設定を受け付ける入力手段と、
前記地図及びアイコンを表示する表示手段と、
前記入力手段を介して受け付けたアイコンに対応する店舗及び又は施設の情報に基づいて、前記ユーザーの嗜好に合致する前記店舗及び又は施設のジャンルを検出すると共に、該検出したジャンルにおいて、ユーザーの嗜好に合致する店舗及び又は施設の傾向を検出する嗜好検出手段と、
前記嗜好検出手段による検出結果に基づいて、前記店舗及び又は施設の情報を選択的に前記ユーザーに提供する情報選択手段と
を備えることを特徴とするナビゲーション装置。
【請求項２】
前記情報選択手段は、
前記嗜好検出手段による検出結果を所定のサーバーに通知し、前記サーバーから選択的に出力される前記店舗及び又は施設に係る情報を取得することにより、前記サーバーに記録された前記店舗及び又は施設に係る情報を選択的に取得して、前記ユーザーに提供する
ことを特徴とする請求項１に記載のナビゲーション装置。
【請求項３】
前記店舗及び又は施設の情報を記録する記録手段を有し、
前記情報選択手段は、
前記記録手段に保持した前記店舗及び又は施設に係る情報を選択的に前記ユーザーに提供する
ことを特徴とする請求項１に記載のナビゲーション装置。
【請求項４】
前記嗜好検出手段は、
前記入力手段を介して受け付けたアイコンをジャンル毎に集計することにより、前記ユーザーの嗜好に合致する前記店舗及び又は施設のジャンルを検出し、
前記入力手段を介して受け付けたアイコンに対応する店舗及び又は施設の傾向の情報を集計することにより、ユーザーの嗜好に合致する店舗及び又は施設の傾向を検出する
ことを特徴とする請求項１に記載のナビゲーション装置。
【請求項５】
前記嗜好検出手段は、
前記入力手段を介して受け付けたアイコンの件数を、嗜好の変動要因に応じて設定された重み付け係数により重み付け処理して集計することにより、
前記ユーザーの嗜好に合致する前記店舗及び又は施設のジャンル、前記ユーザーの嗜好に合致する前記店舗及び又は施設の傾向を検出する
ことを特徴とする請求項４に記載のナビゲーション装置。
【請求項６】
前記嗜好の変動要因が、
時間を要素とした要因である
ことを特徴とする請求項５に記載のナビゲーション装置。
【請求項７】
前記嗜好の変動要因が、
移動経路である
ことを特徴とする請求項５に記載のナビゲーション装置。
【請求項８】
前記嗜好の変動要因が、
搭乗者である
ことを特徴とする請求項５に記載のナビゲーション装置。
【請求項９】
前記情報選択手段は、
前記地図上に、対応するアイコンを表示することにより、前記店舗及び又は施設の情報を選択的に前記ユーザーに提供する
ことを特徴とする請求項１に記載のナビゲーション装置。
【請求項１０】
店舗及び又は施設のジャンルを示すアイコンを地図上に表示してユーザーを道案内するナビゲーション装置において、
前記地図上における前記アイコンの表示の設定を受け付ける入力手段と、
前記地図及びアイコンを表示する表示手段と、
ネットワークを介して、前記入力手段を介して受け付けたアイコンの情報を情報処理装置に通知し、
前記情報処理装置により、前記アイコンに対応する店舗及び又は施設の情報に基づいて、前記ユーザーの嗜好に合致する前記店舗及び又は施設のジャンルを検出すると共に、該検出したジャンルにおいて、前記ユーザーの嗜好に合致する店舗及び又は施設の傾向を検出し、
前記検出結果に基づいて、前記店舗及び又は施設の情報を選択的に前記ユーザーに提供する情報選択手段と
を備えることを特徴とするナビゲーション装置。
【請求項１１】
前記情報選択手段は、
前記ネットワークを介して、前記検出結果に基づいて前記情報処理装置から選択的に出力される前記店舗及び又は施設に係る情報を取得して、前記ユーザーに提供する
ことを特徴とする請求項１０に記載のナビゲーション装置。
【請求項１２】
前記店舗及び又は施設の情報を記録する記録手段を有し、
前記情報選択手段は、
前記入力手段を介して受け付けたアイコンを前記情報処理装置に通知して、前記検出結果を取得する通信手段と、
前記通信手段で検出した検出結果に基づいて、前記記録手段に保持した前記店舗及び又は施設に係る情報を選択的に前記ユーザーに提供する情報通知手段とを有する
ことを特徴とする請求項１０に記載のナビゲーション装置。
【請求項１３】
地図を表示してユーザーを道案内するナビゲーション装置に対して、店舗及び又は施設に係る情報を提供するナビゲーション装置のサービス装置であって、
前記ナビゲーション装置は、
前記ユーザーの操作により、店舗及び又は施設のジャンルを示すアイコンについて、前記地図上における表示の設定を受け付け、前記店舗及び又は施設のジャンルを示すアイコンを対応する地図上に表示し、
前記サービス装置は、
前記ナビゲーション装置で設定を受け付けた前記アイコンの情報を取得する情報取得手段と、
前記情報取得手段で取得した前記アイコンの情報に基づいて、前記ユーザーの嗜好に合致する前記店舗及び又は施設のジャンルを検出すると共に、該検出したジャンルにおいて、ユーザーの嗜好に合致する店舗及び又は施設の傾向を検出する嗜好検出手段と、
前記嗜好検出手段による検出結果に基づいて、前記店舗及び又は施設に係る情報を選択的に前記ナビゲーション装置に通知する情報通知手段と
を備えることを特徴とするナビゲーション装置のサービス装置。
【請求項１４】
店舗及び又は施設のジャンルを示すアイコンを地図上に表示してユーザーを道案内するナビゲーション装置によるサービス提供方法において、
前記地図上に設定された前記アイコンの情報を取得するアイコン情報取得ステップと、
前記地図上に設定された前記アイコンに対応する店舗及び又は施設の情報に基づいて、前記ユーザーの嗜好に合致する前記店舗及び又は施設のジャンルを検出すると共に、該検出したジャンルにおいて、ユーザーの嗜好に合致する店舗及び又は施設の傾向を検出する嗜好検出ステップと、
前記嗜好検出ステップによる検出結果に基づいて、前記店舗及び又は施設の情報を選択的に前記ユーザーに提供する情報選択ステップと
を有することを特徴とするナビゲーション装置によるサービス提供方法。
【請求項１５】
前記情報選択ステップは、
前記嗜好検出ステップによる検出結果を所定のサーバーに通知し、前記サーバーから選択的に出力される前記店舗及び又は施設に係る情報を取得することにより、
前記サーバーに記録された前記店舗及び又は施設に係る情報を選択的に取得して、前記ユーザーに提供する
ことを特徴とする請求項１４に記載のナビゲーション装置によるサービス提供方法。
【請求項１６】
前記情報選択ステップは、
所定の記録媒体に保持した前記店舗及び又は施設に係る情報を選択的に前記ユーザーに提供する
ことを特徴とする請求項１４に記載のナビゲーション装置によるサービス提供方法。
【請求項１７】
前記嗜好検出ステップは、
前記地図上に設定された前記アイコンをジャンル毎に集計することにより、前記ユーザーの嗜好に合致する前記店舗及び又は施設のジャンルを検出し、
前記地図上に設定された前記アイコンに対応する店舗及び又は施設の傾向の情報を集計することにより、前記ユーザーの嗜好に合致する店舗及び又は施設の傾向を検出する
ことを特徴とする請求項１４に記載のナビゲーション装置によるサービス提供方法。
【請求項１８】
前記嗜好検出ステップは、
前記入力ステップを介して受け付けたアイコンの件数を、嗜好の変動要因に応じて設定された重み付け係数により重み付け処理して集計することにより、
前記ユーザーの嗜好に合致する前記店舗及び又は施設のジャンル、前記ユーザーの嗜好に合致する前記店舗及び又は施設の傾向を検出する
ことを特徴とする請求項１７に記載のナビゲーション装置によるサービス提供方法。
【請求項１９】
前記嗜好の変動要因が、
時間を要素とした要因である
ことを特徴とする請求項１８に記載のナビゲーション装置によるサービス提供方法。
【請求項２０】
前記嗜好の変動要因が、
移動経路である
ことを特徴とする請求項１８に記載のナビゲーション装置によるサービス提供方法。
【請求項２１】
前記嗜好の変動要因が、
搭乗者である
ことを特徴とする請求項１８に記載のナビゲーション装置によるサービス提供方法。
【請求項２２】
前記情報選択ステップは、
前記地図上に対応するアイコンを表示することにより、前記店舗及び又は施設の情報を選択的に前記ユーザーに提供する
ことを特徴とする請求項１４に記載のナビゲーション装置によるサービス提供方法。
【請求項２３】
前記アイコン情報取得ステップは、
所定の通信手段を介して、前記ナビゲーション装置から前記地図上に設定された前記アイコンの情報を取得し、
前記情報選択ステップは、
前記通信手段を介して、前記店舗及び又は施設の情報を選択的に前記ナビゲーション装置に通知することにより、前記店舗及び又は施設の情報を選択的にユーザーに提供する
ことを特徴とする請求項１４に記載のナビゲーション装置によるサービス提供方法。
【請求項２４】
前記アイコン情報取得ステップは、
所定の通信手段を介して、前記ナビゲーション装置から前記地図上に設定された前記アイコンの情報を取得し、
前記嗜好検出ステップは、
前記通信手段を介して、検出結果を前記ナビゲーション装置に通知し、
前記情報選択ステップにおける処理は、
前記ナビゲーション装置における処理である
ことを特徴とする請求項１４に記載のナビゲーション装置によるサービス提供方法。
【発明の詳細な説明】
【０００１】
【発明の属する技術分野】
本発明は、ナビゲーション装置、ナビゲーション装置のサービス装置及びナビゲーション装置によるサービス提供方法に関し、例えばカーナビゲーション装置に適用することができる。本発明は、ユーザーにより地図上に設定されたアイコンを基準にして、ユーザーの嗜好に合致する店舗等のジャンル、該ジャンルにおいてユーザーの嗜好に合致する傾向を検出し、これらの検出結果に基づいて、店舗及び又は施設に係る情報を選択的にユーザーに提供することにより、ユーザーに負担を強いることなく、ユーザーに有意義な情報を的確に提供することができるようにする。
【０００２】
【従来の技術】
従来、カーナビゲーション装置においては、単に地図によりユーザーを道案内するだけでなく、ユーザーの操作により例えば目的地近傍における有名レストラン、行楽地等を案内するようになされ、これにより使い勝手を向上するようになされている。
【０００３】
またカーナビゲーション装置においては、ユーザーの操作により地図上に各種のアイコンを設定できるようになされ、このアイコンの設定により、自宅、頻繁に訪れる場所、過去に訪れたことがある場所等を地図上で確認できるようになされている。カーナビゲーション装置では、このようなアイコンとして、店舗、施設のジャンル毎に各種のアイコンが用意され、これにより必要に応じてこれら各種のアイコンより所望するアイコンを選択して設定することにより、使い勝手を向上することができるようになされている。
【０００４】
【発明が解決しようとする課題】
ところでカーナビゲーション装置で提供する店舗、施設の情報においては、インターネット等のネットワークを介してダウンロードすることができ、これにより常に最新の情報をユーザーに提供することができる。
【０００５】
しかしながらこのようにダウンロードにより提供される情報においては、必ずしもユーザーが必要としない情報まで含まれ、これによりユーザーに有意義な情報を的確に提供できない問題がある。またユーザーにおいては、煩雑な操作により、多数の情報より所望する情報を選択することが必要になり、これによりユーザーに負担を強いる結果となる問題がある。
【０００６】
本発明は以上の点を考慮してなされたもので、ユーザーに負担を強いることなく、ユーザーに有意義な情報を的確に提供することができるナビゲーション装置、ナビゲーション装置のサービス装置及びナビゲーション装置によるサービス提供方法を提案しようとするものである。
【０００７】
【課題を解決するための手段】
かかる課題を解決するため請求項１の発明においては、店舗及び又は施設のジャンルを示すアイコンを地図上に表示してユーザーを道案内するナビゲーション装置に適用して、入力手段を介して受け付けたアイコンに対応する店舗及び又は施設の情報に基づいて、ユーザーの嗜好に合致する店舗及び又は施設のジャンルを検出すると共に、該検出したジャンルにおいて、ユーザーの嗜好に合致する店舗及び又は施設の傾向を検出する嗜好検出手段と、嗜好検出手段による検出結果に基づいて、店舗及び又は施設の情報を選択的にユーザーに提供する情報選択手段とを備えるようにする。
【０００８】
また請求項１０の発明においては、店舗及び又は施設のジャンルを示すアイコンを地図上に表示してユーザーを道案内するナビゲーション装置に適用して、ネットワークを介して、入力手段を介して受け付けたアイコンの情報を情報処理装置に通知し、この情報処理装置により、アイコンに対応する店舗及び又は施設の情報に基づいて、ユーザーの嗜好に合致する店舗及び又は施設のジャンルを検出すると共に、該検出したジャンルにおいて、ユーザーの嗜好に合致する店舗及び又は施設の傾向を検出し、検出結果に基づいて、店舗及び又は施設の情報を選択的にユーザーに提供する情報選択手段を備えるようにする。
【０００９】
また請求項１３の発明においては、地図を表示してユーザーを道案内するナビゲーション装置に対して、店舗及び又は施設に係る情報を提供するナビゲーション装置のサービス装置に適用して、ナビゲーション装置で設定を受け付けたアイコンの情報を取得する情報取得手段と、情報取得手段で取得したアイコンの情報に基づいて、ユーザーの嗜好に合致する店舗及び又は施設のジャンルを検出すると共に、該検出したジャンルにおいて、ユーザーの嗜好に合致する店舗及び又は施設の傾向を検出する嗜好検出手段と、嗜好検出手段による検出結果に基づいて、店舗及び又は施設に係る情報を選択的にナビゲーション装置に通知する情報通知手段とを備えるようにする。
【００１０】
また請求項１４の発明においては、店舗及び又は施設のジャンルを示すアイコンを地図上に表示してユーザーを道案内するナビゲーション装置によるサービス提供方法に適用して、地図上に設定されたアイコンの情報を取得するアイコン情報取得ステップと、地図上に設定されたアイコンに対応する店舗及び又は施設の情報に基づいて、ユーザーの嗜好に合致する店舗及び又は施設のジャンルを検出すると共に、該検出したジャンルにおいて、ユーザーの嗜好に合致する店舗及び又は施設の傾向を検出する嗜好検出ステップと、嗜好検出ステップによる検出結果に基づいて、店舗及び又は施設の情報を選択的にユーザーに提供する情報選択ステップとを有するようにする。
【００１１】
請求項１の構成によれば、ナビゲーション装置に適用して、入力手段を介して受け付けたアイコンに対応する店舗及び又は施設の情報に基づいて、ユーザーの嗜好に合致する店舗及び又は施設のジャンルを検出すると共に、該検出したジャンルにおいて、ユーザーの嗜好に合致する店舗及び又は施設の傾向を検出する嗜好検出手段と、嗜好検出手段による検出結果に基づいて、店舗及び又は施設の情報を選択的にユーザーに提供する情報選択手段とを備えることにより、ネットワーク等より得られる店舗及び又は施設に係る多種多様な情報は、ユーザーにより設定されたアイコンのジャンル、傾向に応じてフィルタリングされ、ユーザーが興味を示すユーザーに有意義な情報のみがユーザーに提供される。これによりユーザーに有意義な情報を的確に提供することができる。またこのようなスクリーニングの基準においては、ユーザーにより設定されたアイコンを基準としていることにより、ユーザーにおいては、この種の情報取得のために、別途、内容を検討しなくても、有意義な情報を的確に取得することができ、これによりユーザーの負担を軽減することができる。
【００１２】
また請求項１０の構成によれば、ナビゲーション装置に適用して、ネットワークを介して、入力手段を介して受け付けたアイコンの情報を情報処理装置に通知し、この情報処理装置により、アイコンに対応する店舗及び又は施設の情報に基づいて、ユーザーの嗜好に合致する店舗及び又は施設のジャンルを検出すると共に、該検出したジャンルにおいて、ユーザーの嗜好に合致する店舗及び又は施設の傾向を検出し、検出結果に基づいて、店舗及び又は施設の情報を選択的にユーザーに提供する情報選択手段を備えることにより、ネットワークにより接続した情報処理装置でユーザーの嗜好に合致するジャンル、傾向を検出して、ユーザーの負担を強いることなく、有意義な情報を的確に取得することができる。
【００１３】
また請求項１３の構成によれば、ナビゲーション装置のサービス装置に適用して、ナビゲーション装置で設定を受け付けたアイコンの情報を取得する情報取得手段と、情報取得手段で取得したアイコンの情報に基づいて、ユーザーの嗜好に合致する店舗及び又は施設のジャンルを検出すると共に、該検出したジャンルにおいて、ユーザーの嗜好に合致する店舗及び又は施設の傾向を検出する嗜好検出手段と、嗜好検出手段による検出結果に基づいて、店舗及び又は施設に係る情報を選択的にナビゲーション装置に通知する情報通知手段とを備えることにより、インターネット等を介して車載のナビゲーション装置、ナビゲーション装置として機能する携帯電話等にサービスを提供するサービス提供装置、さらには車載のナビゲーション装置に接続される個人情報端末装置、車載のコンピュータ等に適用して、ナビゲーション装置を介して、ユーザーの負担を強いることなく、有意義な情報を的確に取得することができる。
【００１４】
これにより請求項１４の構成によれば、ユーザーの負担を強いることなく、有意義な情報を的確に取得することができるナビゲーション装置によるサービス提供方法を提供することができる。
【００１５】
【発明の実施の形態】
以下、適宜図面を参照しながら本発明の実施の形態を詳述する。
【００１６】
（１）第１の実施の形態
（１−１）第１の実施の形態の構成
図１は、本発明の実施の形態に係るサービス提供システムを示すブロック図である。このサービス提供システム１においては、カーナビゲーション装置２を介して、店舗、施設に係る情報をユーザーに提供する。ここでこの店舗、施設に係る情報は、店舗、施設に関し、これらの内容を紹介する情報であり、例えば店舗においては、レストラン、書店、ホテル等の大まかなジャンル、和風レストラン、ファミリーレストラン、ラーメン店等の細かなジャンルに加えて、見どころ、お勧めの商品、ＧＰＳシステムに対応した所在地の情報等により構成されるようになされている。
【００１７】
このサービス提供システム１において、ダウンロードサーバー３は、インターネット４を介して接続可能なコンピュータにより構成され、カーナビゲーション装置２からの要求によりこれら店舗、施設に係る情報をカーナビゲーション装置２に提供する。このためダウンロードサーバー３は、ダウンロード可能に店舗、施設に係る情報が適宜、蓄積されるようになされている。
【００１８】
すなわちダウンロードサーバー３は、これらの情報が所定の区分により分類されて、各情報が蓄積された日時、各情報のジャンルを記録した更新履歴の情報と共に記録されるようになされている。ここでこの区分は、店舗、施設のジャンルによる区分であり、この実施の形態では、カーナビゲーション装置２において、地図上に設定可能な各種アイコンのジャンル分けに対応するようになされている。なおここでこのような区分にあっては、店舗のうちの例えば飲食店については、中華料理店、イタリアンレストラン、フレンチレストラン、ファミリーレストラン、ラーメン店等の区分である。
【００１９】
店舗、施設に係る情報は、これらの区分に加えて、各店舗、施設の各ジャンルにおける傾向を示す情報が設定されて提供される。ここでこの各ジャンルにおける傾向を示す情報は、ユーザーの嗜好を反映して店舗、施設をさらに詳細に分類することが可能な情報であり、例えば図２に示すように、中華料理店については、例えば、四川、広東、北京等の流派を示す情報、分量の多少（多め、少なめ等の区別である）、客層（ファミリーユース等の区別である）、紹介雑誌名等の情報により構成される。またラーメン店については、例えば売れ筋商品の種類（味噌ラーメン、醤油ラーメン、塩ラーメン等の区別である）、出汁の種類（例えば和風煮干し出汁、とんこつ出汁等の区別である）、流派（例えば和歌山、喜多方、尾道、九州等である）、分量の多少（多め、少なめ等の区別である）、他の特徴（太麺、細麺等である）、紹介雑誌名等の情報により構成されるようになされている。また例えば施設に係る情報のうちスキー場に係る情報については、開設期間、スノーボードの制限、リフト数等の情報により構成されるようになされている。
【００２０】
カーナビゲーション装置２において、ＧＰＳ部（Ｇｌｏｂａｌ　Ｐｏｓｉｔｉｏｎｉｎｇ　Ｓｙｓｔｅｍ　）部５は、ＧＰＳの衛星より得られる電波を受信して処理することにより現在位置の位置情報を検出し、この位置情報を出力する。
【００２１】
光ディスク装置６は、画像処理部８からの要求に応じて光ディスクをアクセスすることにより、目的地近傍、現在位置近傍等の地図データを光ディスクより読み出して出力する。画像処理部８は、この光ディスク装置６から出力される地図データにより表示に供する画像を生成する。また画像処理部８は、ユーザーによる指示により道案内に供する音声データ等を生成し、この音声データによりスピーカ９を駆動し、これによりこのカーナビゲーション装置２では、音声によっても道案内等できるようになされている。
【００２２】
表示部１０は、液晶表示パネルにより構成され、地図、店舗の情報等を表示する。グラフィック部１１は、中央処理ユニット１２の制御により表示部１０を駆動する駆動回路により構成される。操作部１３は、このカーナビゲーション装置２の操作パネルに配置された操作子、リモートコマンダーにより構成され、ユーザーによる各種の操作を中央処理ユニット１２に通知する。ランダムアクセスメモリ（ＲＡＭ）１４は、中央処理ユニット１２のワークエリアを構成する。ハードディスク装置（ＨＤＤ）１５は、中央処理ユニット１２の処理プログラム、ユーザーにより設定された各種の項目のデータ、ダウンロードサーバー３のアクセス記録、店舗、施設に係る情報等を記録して保持する。ハードディスク装置１５は、このような店舗、施設に係る情報の記録により店舗データベース１５Ｂを構築するようになされている。なお、この店舗データベース１５Ｂは、このカーナビゲーション装置２の工場出荷時においては、標準の設定に係る店舗、施設の情報が記録されるのに対し、後述するように、使用によりダウンロードサーバー３の記録に基づいて適宜、更新されるようになされている。
【００２３】
インターフェース（Ｉ／Ｆ）１６は、携帯電話回線を介してインターネット４に接続する通信手段、この通信手段と中央処理ユニット１２との間で各種の情報を入出力する入出力回路により構成され、中央処理ユニット１２の制御により動作を切り換える。
【００２４】
中央処理ユニット１２は、このカーナビゲーション装置２全体の動作を制御するコントローラであり、ランダムアクセスメモリ１４にワークエリアを確保してハードディスク装置１５に記録された一連の処理プログラムを実行することにより、表示部１０を介して地図を表示し、道案内等の処理を実行する。なおこの処理プログラムにおいては、事前にハードディスク装置１５にインストールされて提供され、又はインターネット４等のネットワークを介してダウンロードしたプログラムのインストールにより、さらには各種の記録媒体により提供されるプログラムのインストールにより、提供されるようになされている。因みにこのような記録媒体としては、磁気ディスク、光ディスク、磁気テープ等の記録媒体を適用することができる。
【００２５】
すなわち中央処理ユニット１２は、ユーザーにより目的地が入力され、この目的地までのルートの検索が指示されると、ＧＰＳ部５より得られる現在位置の情報、光ディスク装置６より得られる地図データに基づいて、目的地までのルートを検索する。さらにこのルートの表示、道案内が指示されると、画像処理部８、グラフィック部１１の制御により対応する処理を実行する。これらの処理において、目的地近傍、現在位置近傍等の地図を表示した状態で、ユーザーにより地図上のカーソルが操作され、アイコンの入力が指示されると、中央処理ユニット１２は、カーソルにより指示された位置にユーザーにより指示されたアイコンを設定する。
【００２６】
ここでこのアイコンは、店舗、施設のジャンルを示すアイコンと、例えば友達の居所等の個人的なマーキングに供するアイコンとであり、ユーザーが一見して対象を把握することができるデザインにより形成される。すなわち例えば図３に示すように、中華料理店については、矩形の枠の中に、スープ碗、レンゲを示すシンボルを表示して形成される。また図４に示すように、ラーメン店については、矩形の枠の中に、ラーメンのドンブリ、箸、麺を示すシンボルを表示して形成される。
【００２７】
中央処理ユニット１２は、このようなアイコンが設定されてなる地図上の位置情報、対応するアイコンの種類を示す識別データをハードディスク装置１５に記録して保持し、各部の地図を表示する際に、ユーザーによりアイコンの表示が指示されると、このハードディスク装置１５の記録より、地図上にこれらアイコンを表示するようになされている。これによりカーナビゲーション装置２においては、このアイコンの設定により、自宅、頻繁に訪れる場所、過去に訪れたことがある場所等を地図上で確認できるようになされている。なお中央処理ユニット１２は、このように設定したアイコンのうち、友達の居所等の個人的な情報に係るアイコンについては、別途、コメント等の入力を受け付けて記録するようになされ、対応するアイコンの選択によりこのコメントを表示するようになされている。また店舗、施設に係るアイコンについては、ユーザーによる選択により対応する店舗、施設の情報を表示するようになされている。
【００２８】
さらに中央処理ユニット１２は、これらアイコンのうち店舗、施設を示すアイコンについては、このようにしてアイコンに係る情報をハードディスク装置１５に記録する際に、同様にハードディスク装置１５に記録されてなる対応する店舗、施設の情報と関連付けてこれらの情報を記録する。またアイコンが登録された日時、曜日等を併せて記録する。これらにより中央処理ユニット１２は、ユーザーの嗜好の判断に供する資料を記録した傾向データベース１５Ａをハードディスク装置１５に構築する。なお中央処理ユニット１２は、ユーザーが設定したアイコンに対応する位置について、該当する店舗、施設の情報がハードディスク装置１５に記録されていない場合、後述する店舗、施設に係る情報のアップロード時、併せてこの対応する店舗、施設に係る情報をダウンロードサーバー３から取得し、これにより店舗データベース１５Ｂを構築する。
【００２９】
中央処理ユニット１２は、このようにして構築された傾向データベース１５Ａを基準にして、ユーザーの嗜好を判断し、この判断結果により店舗、施設に係る情報をユーザーに提供する。
【００３０】
すなわち中央処理ユニット１２は、ユーザーにより店舗、施設の表示が指示されると、図５に示す処理手順を開始し、ステップＳＰ１からステップＳＰ２に移る。ここで中央処理ユニット１２は、傾向データベース１５Ａの記録から、ユーザーの嗜好を判断する。
【００３１】
すなわち図６に示すように、ユーザーが登録した店舗、施設に係るアイコンのうち、６０件が中華料理店のアイコンであり、２０件がラーメン店のアイコンであり、１０件がホテル、６件が友達の居所、４件が観光名所のアイコンである場合、中華料理、ラーメン店のアイコンについて、相対的に登録数が多いことにより、この場合、ユーザーにおいては、中華料理、ラーメン店を好んでいると判断することができる。すなわちこのようにして登録されるアイコンのジャンルにおいては、ユーザーの嗜好を反映していると判断することができる。これによりハードディスク装置１５に記録された店舗、施設の情報より、中華料理、ラーメン店の情報を選択的にユーザーに提供すれば、ユーザーの嗜好に合致した情報を提供することができると考えられる。
【００３２】
これにより中央処理ユニット１２は、傾向データベース１５Ａに登録されたアイコンをジャンル毎に集計し、集計結果の多少によりユーザーの好みのジャンルを検出する。
【００３３】
しかしながらこのような嗜好においては、変化する場合も考えられる。すなわち図６に示す例の場合、それまで中華料理店ばかり訪れていたものが、ある日からラーメン店を頻繁に訪れるようになったものとも考えられる。これにより中央処理ユニット１２は、このようなジャンル毎のアイコンの集計においては、各アイコンの登録日を基準にして、過去のもの程、重み付け係数を小さく設定した重み付け加算により、アイコン数を集計する。
【００３４】
またこの図６に示す例の場合、土日、祭日に限ってはラーメン店を訪れ、平日は中華料理店を訪れている場合も考えられることにより、中央処理ユニット１２は、各アイコンが登録された曜日を基準にして、ジャンル毎のアイコンの集計において、現在の曜日に対応する登録の曜日程、重み付け係数を大きく設定した重み付け加算により、アイコン数を集計する。
【００３５】
これに対して施設については、例えば海水浴場、スキー場のように、季節により訪れる回数が大きく変化することが考えられる。また遊園地のような施設においては、休日に訪れる頻度が高くなると考えられる。また店舗においても、例えば冬場にラーメン店を訪れる頻度が高くなる場合も考えられる。さらに主婦が使用している車にあっては、平日の午後等の特定の時間帯に、ユーザーの趣味、嗜好を反映する販売店に訪れる頻度が高くなると考えられる。これらにより中央処理ユニット１２は、同様の、アイコンを登録した月、時間帯に応じた重み付け係数の設定により、登録されたアイコン数を重み付け加算して集計し、これによりユーザーの嗜好を判定する。
【００３６】
かくするにつきこれらにより中央処理ユニット１２は、結局、時間の要素である月、曜日、時間帯をパラメータに設定して重み付け係数を計算し、この計算した重み付け係数により登録されたアイコンの数を重み付け加算して集計することにより、ユーザーの趣味、嗜好を判断するようになされている。中央処理ユニット１２は、ユーザーによりアイコンが追加登録されると、このアイコンの追加登録に対応するように、このような重み付け係数の設定に係るパラメータの設定を適宜更新し、これによりいわゆる学習処理によりユーザーに適した重み付け係数を設定するようになされている。
【００３７】
さらに中央処理ユニット１２は、傾向データに記録した各ジャンルにおける傾向の情報により、各項目を同様に重み付け加算して集計し、集計結果の多少によりユーザーの趣味、嗜好を詳細に判断する。すなわちアイコンを登録した中華料理店の内訳について、図７に示すように、四川、広東、北京の登録件数がそれぞれ１０件、７件、１件であった場合、ユーザーにおいては、四川料理、広東料理を好んでいると判断することができる。また量多め、量少なめの項目について、それぞれ登録件数６件、３件であった場合、このユーザーにおいては、量が多めの店を好んでいると判断することができる。また客層の項目において、ファミリー向け、カップル向けの登録件数がそれぞれ１０件、１件の場合、このユーザーにおいては、ファミリーユースの店舗を好んでいると判断することができる。また紹介雑誌Ａ、Ｂ、Ｃの項目について、それぞれ登録件数が１０件、２件、０件の場合、このユーザーにおいては、雑誌Ａで紹介された店舗を好んで訪れていると判断することができる。
【００３８】
またこのような詳細な傾向についても、例えば土日、祭日には、量多めの店舗を好んで訪れ、平日には量少なめの店舗を好んで訪れている場合も考えられる。当然のように、季節、時間帯によっても、傾向が変化すると考えられる。これらにより中央処理ユニット１２は、さらに詳細にユーザーの趣味、嗜好を判断するようになされている。これらにより中央処理ユニット１２は、嗜好の変動要因に応じて重み付け係数を設定した重み付け加算によりアイコンの設定を集計し、ユーザーの嗜好を検出するようになされ、この実施の形態においては、時間を要素とした要因をこの変動要因に設定するようになされている。
【００３９】
このようにして趣味、嗜好を判断すると、中央処理ユニット１２は、ステップＳＰ３に移り、店舗データベース１５Ｂに記録された店舗、施設の情報より、ユーザーの趣味、嗜好に合致する店舗、施設の情報を選択する。ここでこの選択の処理においては、ステップＳＰ２で検出したユーザーの好むジャンル、傾向によるフィルタリング処理により実行される。また表示中の地図に対応した地域の制限により、表示に不必要な情報については、除去する。
【００４０】
中央処理ユニット１２は、続いてステップＳＰ４に移り、このようにして検出した店舗、施設の情報より、これら店舗、施設に対応するアイコンを地図上に表示し、ステップＳＰ５に移ってこの処理手順を終了する。これにより中央処理ユニット１２は、ユーザーの嗜好に合致した店舗、施設の情報を選択的に提供するようになされている。
【００４１】
これに対してこのようにした店舗、施設については、新規に開設されるものもある。これにより中央処理ユニット１２は、このようにユーザーの嗜好に合致した店舗等をアイコンにより地図上に表示した状態で、ユーザーにより情報の更新が指示されると、図８に示す処理手順の実行により、ダウンロードサーバー３をアクセスし、店舗等の情報を取得してユーザーに通知する。
【００４２】
すなわち中央処理ユニット１２は、ユーザーにより店舗、施設に係る情報の更新が指示されると、ステップＳＰ１１からステップＳＰ１２に移り、インターフェース１６を制御してダウンロードサーバー３に接続する。続いて中央処理ユニット１２は、ステップＳＰ１３に移り、過去にダウンロードサーバー３にアクセスしてから今回のアクセスまでの間で、ダウンロードサーバー３に新たに店舗、施設に係る情報が蓄積された否か判断し、ここで新たに蓄積された店舗、施設に係る情報が存在する場合、この店舗、施設に係る情報をダウンロードしてハードディスク装置１５に記録し、これにより店舗データベース１５Ｂを更新する。
【００４３】
中央処理ユニット１２は、続いてステップＳＰ１４に移り、図５について上述したと同様にして、ユーザーの趣味、嗜好を判断し、続くステップＳＰ１５において、この判断した趣味、嗜好によりステップＳＰ１３で取得した店舗、施設に係る情報をフィルタリング処理する。このフィルタリング処理により中央処理ユニット１２は、ユーザーの趣味、嗜好に合致してなる新規の店舗、施設に係る情報がダウンロードした店舗、施設に係る情報に存在するか否か判断する。ここで肯定結果が得られると、中央処理ユニット１２は、ステップＳＰ１６に移り、図９に示すように、このユーザーの趣味、嗜好に合致してなる新規の店舗、施設に係る情報のリストを表示する。なおこの図９の例では、ダウンロードサーバー３から店舗、施設に係る情報のうち、ラーメン店、ファミリーレストラン、ホテルについての情報をそれぞれダウンロードサーバー３に記録された日時と共に表示するようになされている。
【００４４】
このようにしてダウンロードした内容を表示すると、中央処理ユニット１２は、続いてステップＳＰ１７に移り、ユーザーの指示により、これらダウンロードした項目をアイコンにより地図上で表示し、またユーザーによるアイコンの選択により、店舗、施設に係る情報の詳細な内容を表示する。またユーザーの指示によりこれらの情報を音声によりユーザーに通知し、これらの処理を完了すると、ステップＳＰ１８に移ってこの処理手順を終了する。
【００４５】
これに対してステップＳＰ１５で否定結果が得られると、ステップＳＰ１９に移り、例えば更新に係るデータが無い旨、ユーザーに通知した後、ステップＳＰ１５からステップＳＰ１８に移ってこの処理手順を終了する。
【００４６】
これらによりこの実施の形態において、操作部１３は、地図上におけるアイコンの表示の設定を受け付ける入力手段を構成するのに対し、グラフィック部１１、表示部１０は、地図及びアイコンを表示する表示手段を構成するようになされている。また中央処理ユニット１２は、入力手段を介して受け付けたアイコンに対応する店舗及び又は施設の情報に基づいて、ユーザーの嗜好に合致する店舗及び又は施設のジャンルを検出すると共に、該検出したジャンルにおいて、ユーザーの嗜好に合致する店舗及び又は施設の傾向を検出する嗜好検出手段を構成するようになされ、またインターフェース１６、ハードディスク装置１５と共に、この嗜好検出手段による検出結果に基づいて、店舗及び又は施設の情報を選択的にユーザーに提供する情報選択手段を構成するようになされ、またハードディスク装置１５は、店舗及び又は施設の情報を記録する記録手段を構成するようになされている。
【００４７】
（１−２）第１の実施の形態の動作
以上の構成において、このサービス提供システム１では、例えば新規の店舗、施設等を案内する店舗、施設に係る情報が、適宜、ダウンロードサーバー３にダウンロード可能に蓄積される。
【００４８】
このサービス提供システム１において、カーナビゲーション装置２では、ＧＰＳ部５で取得される現在位置の位置情報を基準にして、光ディスク装置６で光ディスクを再生して得られる地図データ等を処理して、目的地までの道案内に係る地図、現在位置近傍の地図、目的地近傍の地図等が表示部１０に表示される。これによりカーナビゲーション装置２においては、地図を表示して道案内する等のサービスがユーザーに提供される。
【００４９】
またカーナビゲーション装置２では、例えば過去に訪れた店舗、施設、ユーザーが訪れたいと思っている店舗、施設については、これら店舗、施設のジャンルを示すアイコンを地図上の対応する個所に表示するように、ユーザーの操作によりアイコンの登録が受け付けられ、このアイコンの記録がハードディスク装置１５に記録される。これによりカーナビゲーション装置２では、例えば現在位置近傍の地図を表示して、このようなアイコンを確認することにより、お気に入りのレストラン等を簡易に見つけ出すことができるようになされ、その分、使い勝手を向上できるようになされている。
【００５０】
またカーナビゲーション装置２では、ユーザーの操作により、店舗、施設を紹介する店舗、施設に係る情報がハードディスク装置１５に記録されて店舗データベース１５Ｂが構築され、ユーザーの操作により、これら店舗、施設に係る情報が表示部１０を介してユーザーに提供され、また音声によりスピーカ９を介してユーザーに提供される。これによりユーザーにおいては、このカーナビゲーション装置２を各種のガイドブックとして利用して、美味しいお店等を調べることができるようになされている。
【００５１】
カーナビゲーション装置２では、このような店舗、施設の紹介が、地図上にアイコンを表示して実行され、アイコンの操作により、店舗、施設の詳細な内容が表示される。カーナビゲーション装置２では、過去のユーザーによるアイコンの設定に基づいて、ユーザーの嗜好が判定され、このユーザーの嗜好に合致したカテゴリ、傾向の店舗、施設がハードディスク装置１５に形成された店舗データベース１５Ｂの記録より選択され、このような店舗、施設の紹介が実行される。またこのようにして地図上で表示したアイコンが操作されると、対応する店舗、施設の情報が詳細に表示される。
【００５２】
これによりユーザーにおいては、単に、気に入った店舗、施設、行って見たい店舗、施設等に地図上でアイコンを設定するだけで、カーナビゲーション装置２で趣味、嗜好が把握され、ユーザーの気に入るカテゴリの店舗、施設の情報、さらにはこのようなカテゴリの中で、さらにユーザーの気に入る傾向の店舗、施設の情報が選択されて提供され、これにより多量の情報より、ユーザーの所望する情報を的確に提供することができる。またユーザーにおいては、単に気に入った店舗、施設、行って見たい店舗、施設等に地図上でアイコンを設定するだけでよいことにより、その分、何ら負担を負うことなく、所望する情報を取得することができる。これによりこのカーナビゲーション装置２においては、ユーザーに負担を強いることなく、ユーザーに有意義な情報を的確に提供することができる。
【００５３】
特に、カーナビゲーション装置２では、単にアイコンの表示に対応するジャンル店舗、施設を選択するだけでなく、各ジャンルの店舗、施設について、さらに詳細に店舗等の傾向を示す情報を分析してユーザーの嗜好に合致する店舗等の傾向を把握することにより、単にジャンルにより分類する場合に比して、ユーザーに対して、より細かくユーザーの趣味、嗜好を判定して、ユーザーの所望する情報を的確に提供することができる。
【００５４】
すなわちカーナビゲーション装置２では、設定を受け付けたアイコンをジャンル毎に集計することにより、ユーザーの嗜好に合致する店舗、施設のジャンルが検出され、またこのようなアイコンに対応する店舗、施設の傾向の情報を集計することにより、ユーザーの嗜好に合致する店舗、施設の傾向が検出される。これによりカーナビゲーション装置２では、大まかに分類されている中華料理店、ラーメン店等のジャンルより、ユーザーの所望するジャンルを選択し、さらに例えば四川料理、ファミリー向け等のユーザーの所望する傾向の店舗、施設の情報を取得することができる。
【００５５】
またカーナビゲーション装置２では、このような嗜好の判定において、登録を受け付けたアイコンの件数を、嗜好の変動要因に応じて設定した重み付け係数により重み付け処理してユーザーによるアイコンの設定を集計することにより、ユーザーの趣味、嗜好の移り代わり、例えば日曜日が家族で食事する等のユーザーの習慣等を考慮して、その時々で適切に有意義な情報を提供することができる。
【００５６】
特にこの実施の形態では、時間を要素とした要因をこの嗜好の変動要因に設定していることにより、このようなユーザーの趣味、嗜好の移り代わり、例えば日曜日が家族で食事する等のユーザーの習慣等に適切に対応して、ユーザーに有意義な情報を提供することができる。
【００５７】
これに対してこのようにしてアイコンを表示した状態等においてユーザーより店舗、施設に係る情報の更新が指示されると、カーナビゲーション装置２においては、インターネット４を介してダウンロードサーバー３に接続し、このダウンロードサーバー３から新たに登録された店舗、施設に係る情報を取得して店舗データベース１５Ｂに記録する。カーナビゲーション装置２では、この場合も、アイコンの設定に基づいて、ユーザーの嗜好が判定され、この判定結果により新たに取得した店舗、施設に係る情報より、ユーザーの嗜好に合致してなる店舗、施設に係る情報が選択される。またこのようにして選択した店舗、施設に係る情報の一覧が表示され、またこのようにして選択した店舗、施設に係る情報により地図上にアイコンが表示され、さらにこのアイコンの選択によりこれら情報の内容が表示される。
【００５８】
これによりこのカーナビゲーション装置２においては、インターネット４を介して提供されるこの種の情報についても、ユーザーに負担を強いることなく、ユーザーに有意義な情報を的確に提供することができるようになされている。
【００５９】
（１−３）第１の実施の形態の効果
以上の構成によれば、地図上に設定されたアイコンを基準にして、ユーザーの嗜好に合致する店舗等のジャンル、該ジャンルにおいてユーザーの嗜好に合致する傾向を検出し、これらの検出結果に基づいて、店舗及び又は施設に係る情報を選択的にユーザーに提供することにより、ユーザーに負担を強いることなく、ユーザーに有意義な情報を的確に提供することができる。
【００６０】
すなわち記憶手段であるハードディスク装置に記録された店舗、施設に係る情報を選択的にユーザーに提供することにより、ユーザーに負担を強いることなく、記憶手段に記憶された多量の情報より、ユーザーに有意義な情報を的確に提供することができる。
【００６１】
また設定を受け付けたアイコンをジャンル毎に集計してユーザーの嗜好に合致する店舗、施設のジャンルを検出し、さらにこのアイコンに対応する店舗、施設の傾向の情報を集計してユーザーの嗜好に合致する店舗、施設の傾向を検出することにより、ユーザーの趣味、嗜好に合致した店舗、施設の情報を的確に提供することができる。
【００６２】
このとき登録を受け付けたアイコンの件数を、嗜好の変動要因に応じて設定された重み付け係数により重み付け処理して集計することにより、嗜好の変化等に適切に対応することができ、これによっても一段とユーザーの趣味、嗜好に合致した店舗、施設の情報を的確に提供することができる。
【００６３】
具体的に、この嗜好の変動要因に時間を要素とした要因を設定することにより、ユーザーの嗜好の変化、習慣等に対応して店舗、施設の情報を的確に提供することができる。
【００６４】
またこのようにして検出したユーザーの趣味、嗜好に合致してなる店舗、施設の情報により対応するアイコンを地図上に表示し、このような店舗、施設の情報をユーザーに提供することにより、カーナビゲーション装置に適用して、ユーザーの使い勝手を向上することができる。
【００６５】
（２）第２の実施の形態
この実施の形態においては、カーナビゲーション装置において、移動経路を嗜好の変動要因に設定してユーザーの嗜好を検出する。なおこの実施の形態においては、このような嗜好の検出手法が異なる点を除いて、第１の実施の形態に係るサービス提供システムと同一の構成であることにより、図１の構成を流用して説明し、重複した説明は省略する。
【００６６】
すなわち、朝、自宅を出発し、会社まで移動した場合にあって、引き続いて車両を使用する場合には、車両を仕事で使用している場合と判断することができる。この場合、カーナビゲーション装置２においては、例えば日頃から仕事中に昼食を取っている飲食店と同種のカテゴリに属する飲食店であって、さらには傾向が同じような飲食店に係る店舗の情報を昼食時に提供することにより、ユーザーの所望する情報を的確に提供することができると考えられる。
【００６７】
また日頃は利用しない高速道路を休日に走行している場合には、家族等で遠出している場合と考えられ、このような場合には、遠出した際に利用する飲食店、さらにはファミリー向けの遊園地等の施設について、情報を提供することにより、ユーザーの所望する情報を的確に提供することができると考えられる。
【００６８】
これによりこの実施の形態において、カーナビゲーション装置２の中央処理ユニット１２においては、傾向データベース１５Ａに記録した各アイコンの記録に、併せて登録時の移動経路を記録する。またユーザーの嗜好を判断する際に、走行開始地点、通過地点の位置情報、現在の走行地点の位置情報によるそれまでの移動経路、さらに目的地が入力されている場合には今後予測される移動経路を基準にして、これらの移動経路に傾向が似通ってなる程、重み付け係数を大きな値に設定し、第１の実施の形態について上述した時間の要素により設定した重み付け係数と、このようにして得られる移動経路による重み付け係数とにより、登録されたアイコンの件数を重み付け加算処理して集計し、この集計結果により嗜好を判断する。またこの判断結果により、第１の実施の形態について上述したと同様に、店舗、施設の情報を選択的にユーザーに提供する。
【００６９】
この実施の形態のように、嗜好の変動要因に移動経路を設定して、この嗜好の変動要因に応じて設定された重み付け係数により重み付け処理してユーザーの嗜好を判断するようにすれば、ユーザーの状況に適切に対応することができ、これによっても一段とユーザーの趣味、嗜好に合致した店舗、施設の情報を的確に提供することができる。
【００７０】
（３）第３の実施の形態
この実施の形態においては、カーナビゲーション装置において、搭乗者を嗜好の変動要因に設定してユーザーの嗜好を検出する。なおこの実施の形態においては、このような嗜好の検出手法が異なる点を除いて、第１の実施の形態に係るサービス提供システムと同一の構成であることにより、図１の構成を流用して説明し、重複した説明は省略する。
【００７１】
すなわち運転手が異なれば、当然、ユーザーの嗜好も異なることになる。また同乗者が異なれば、カーナビゲーション装置２に求められる情報も異なることなる。これによりカーナビゲーション装置２において、中央処理ユニット１２は、走行開始時等において、音声合成による音声を車内に流し、その結果得られる車内の音声を取得することにより、会話形式により搭乗者の音声を取得する。またこのようにして取得した音声を音声認識処理することにより、搭乗者を判断する。なおこのような搭乗者の検出手法においては、運転手については、キーの検出等により実行することもできる。また同乗者については、各座席に設置した圧力センサにより、さらにはユーザーによる手入力等により、検出することもでき、種々の検出手法を広く適用することができる。
【００７２】
このカーナビゲーション装置２において、中央処理ユニット１２は、このようにして検出した搭乗者の情報を併せて記録して傾向データベース１５Ａを構築する。また現在の搭乗者を検出し、この現在の搭乗者を基準にしたフィルタリング処理により、またこのようにしてフィルタリング処理して得られる店舗、施設の情報を、第１の実施の形態について上述したユーザーの嗜好の検出結果によりフィルタリング処理し、ユーザーの嗜好に合致する店舗、施設の情報を検出し、その結果得られる店舗、施設の情報をユーザーに提供する。
【００７３】
またこれに代えて、現在の搭乗者を基準にして重み付け係数を設定し、第１の実施の形態について上述した時間の要素により設定した重み付け係数と、このようにして得られる搭乗者による重み付け係数とにより、登録されたアイコンの件数を重み付け加算処理して集計し、この集計結果により嗜好を判断する。またこの判断結果により、第１の実施の形態について上述したと同様に、店舗、施設の情報を選択的にユーザーに提供する。
【００７４】
この実施の形態のように、嗜好の変動要因に搭乗者を設定して、この嗜好の変動要因に応じて設定された重み付け係数により重み付け処理してユーザーの嗜好を判断するようにしても、ユーザーの嗜好の変化等に適切に対応することができ、これによっても一段とユーザーの趣味、嗜好に合致した店舗、施設の情報を的確に提供することができる。
【００７５】
（４）第４の実施の形態
この実施の形態においては、第１の実施の形態にして上述したカーナビゲーション装置２において、アイコンを基準にして検出したユーザーの嗜好に合致する店舗、施設のカテゴリ、傾向をダウンロードサーバー３に通知する。さらにこのダウンロードサーバー３におけるフィルタリング処理により、このようなユーザーの嗜好に合致するカテゴリ、傾向を有してなる店舗、施設の情報を選択的にカーナビゲーション装置２に通知し、ユーザーに提供する。なおこの実施の形態においては、このような情報選択がダウンロードサーバー３側で実行される点を除いて、第１の実施の形態と同様に構成される。
【００７６】
この実施の形態のように、所定のサーバーであるダウンロードサーバー３にユーザーの嗜好に合致したカテゴリ、傾向を通知し、このダウンロードサーバー３から店舗、施設に係る情報を選択的に取得してユーザーに提供するようにしても、第１の実施の形態と同様の効果を得ることができる。またこのようにすれば、カーナビゲーション装置側においては、店舗、施設に係る多量の情報を保持しなくてもよいことにより、その分、記憶手段の構成を小型化することができ、これにより例えばカーナビゲーション装置の機能を有してなる携帯電話、ＰＤＡ等にも広く適用することができる。
【００７７】
（５）第５の実施の形態
この実施の形態においては、ユーザーの嗜好の判断をダウンロードサーバー側で実施する。なおこの実施の形態においては、このような嗜好の判断をダウンロードサーバー側で実行する点を除いて、第１の実施の形態に係るサービス提供システムと同一の構成であることにより、図１の構成を流用して説明し、重複した説明は省略する。
【００７８】
このためこの実施の形態に係るカーナビゲーション装置２においては、傾向データベース１５Ａの記録をダウンロードサーバー３に通知する。ダウンロードサーバー３においては、このようなカーナビゲーション装置２からのアクセスにより図１０に示す処理手順を実行する。
【００７９】
すなわちダウンロードサーバー３においては、ステップＳＰ２１からステップＳＰ２２に移り、このようにしてカーナビゲーション装置２から通知される傾向データベース１５Ａの記録を取得することにより、アイコンの設定に係る一連の情報を取得する。なおこの際に、嗜好の検出手法に応じて、アイコンが設定されてなる日時等の情報、さらには搭乗者、移動経路等の情報、現在の搭乗者、現在までの移動経路等の情報を取得する。
【００８０】
続いてダウンロードサーバー３においては、ステップＳＰ２３に移り、ここで上述の実施の形態と同様にしてユーザーの嗜好に合致してなる店舗、施設のカテゴリ、傾向を検出する。また続くステップＳＰ２４において、このようにして検出したカテゴリ、傾向により店舗、施設の情報をフィルタリング処理して、カーナビゲーション装置２に通知し、ステップＳＰ２５に移ってこの処理手順を終了する。
【００８１】
これらによりこの実施の形態に係るカーナビゲーション装置２において、操作部１３は、地図上におけるアイコンの表示の設定を受け付ける入力手段を構成し、グラフィック部１１、表示部１０は、地図及びアイコンを表示する表示手段を構成するようになされている。また中央処理ユニット１２は、インターフェース１６、表示部１０と共に、ネットワーク４を介して、設定を受け付けたアイコンの情報を情報処理装置であるダウンロードサーバー３に通知し、このダウンロードサーバー３により、ユーザーの嗜好に合致する店舗、施設のジャンル、傾向を検出し、この検出結果に基づいて、店舗、施設の情報を選択的にユーザーに提供する情報選択手段を構成するようになされている。
【００８２】
これらによりこの実施の形態においては、ネットワーク４を介して、嗜好の検出結果に基づいてダウンロードサーバー３から選択的に出力される店舗、施設に係る情報を取得してユーザーに提供することにより、店舗、施設の情報を選択的にユーザーに提供するようになされている。
【００８３】
これに対してダウンロードサーバー３は、カーナビゲーション装置２に対して、店舗及び又は施設に係る情報を提供するナビゲーション装置のサービス装置を構成し、インターネット４に接続するインターフェースが、ナビゲーション装置で設定を受け付けたアイコンの情報を取得する情報取得手段を構成し、一連の処理を実行する中央処理ユニットが、情報取得手段で取得したアイコンの情報に基づいて、ユーザーの嗜好に合致する店舗、施設のジャンル、傾向を検出する嗜好検出手段を構成し、またこの中央処理ユニットとインターフェースとが、嗜好検出手段による検出結果に基づいて、店舗、施設に係る情報を選択的にナビゲーション装置に通知する情報通知手段を構成するようになされている。
【００８４】
この実施の形態のように、ユーザーの嗜好をサーバー側で判断するようにすれば、カーナビゲーション装置側の処理を一段と簡略化して、第１の実施の形態と同様の効果を得ることができる。
【００８５】
またこのような検出結果により店舗、施設の情報をサーバー側でフィルタリングしてカーナビゲーション装置に提供することにより、カーナビゲーション装置においては、店舗、施設に係る多量の情報を保持しなくてもよいことにより、その分、記憶手段の構成を小型化することができ、これにより例えばカーナビゲーション装置の機能を有してなる携帯電話等にも適用することができる。
【００８６】
（６）他の実施の形態
なお上述の第５の実施の形態においては、サーバー側でユーザーの嗜好を判断し、フィルタリングしてカーナビゲーション装置に提供する場合について述べたが、本発明はこれに限らず、ダウンロードサーバー３側で検出した嗜好の検出結果をカーナビゲーション装置２に通知し、この通知したジャンル、嗜好によりハードディスク装置１５の記録をフィルタリングしてユーザーに提供するようにしてもよい。なおこの場合、中央処理ユニット１２、インターフェース１６、表示部１０による情報選択手段は、中央処理ユニット１２、インターフェース１６により、登録を受け付けたアイコンを情報処理装置に通知して、検出結果を取得する通信手段を構成し、また中央処理ユニット１２、表示部１０により、この通信手段で検出した検出結果に基づいて、記録手段に保持した店舗、施設に係る情報を選択的にユーザーに提供する情報通知手段を構成するようになされている。
【００８７】
また上述の第５の実施の形態においては、カーナビゲーション装置側に傾向データベースを構築してアイコンの設定に係る一連の情報を記録する場合について述べたが、本発明はこれに限らず、サーバー側でカーナビゲーション装置毎に傾向データベースを構築するようにしてもよい。このようにすればさらに一段とカーナビゲーション装置側の構成を簡略化することができる。
【００８８】
また上述の実施の形態においては、カーソルの操作によりアイコンの設定を受け付ける場合について述べたが、本発明はこれに限らず、例えばハードディスク装置１５に記録された現在位置情報に係る店舗、施設の情報によりアイコンを設定する場合等、種々のアイコン設定手法を広く適用することができる。
【００８９】
また上述の実施の形態においては、カーナビゲーション装置と、そのダウンロードサーバーとに本発明を適用する場合について述べたが、本発明はこれに限らず、例えば携帯電話と、この携帯電話にサービスを提供するサーバー等、地図を表示してユーザーを道案内するナビゲーション装置の機能を有する各種装置と、関連する構成に広く適用することができる。また図１１に示すように、カーナビゲーション装置２１に接続されるＰＤＡ（Ｐｅｒｓｏｎａｌ　Ｄｉｇｉｔａｌ　Ａｓｓｉｓｉａｎｔｓ　）２２等の各種情報携帯機器、カーナビゲーション装置に接続される携帯型のコンピュータ等にも広く適用することができる。なおこのようなカーナビゲーション装置に接続される各種情報携帯機器、携帯型のコンピュータ等においては、第５の実施の形態について上述したサーバーと同様に、ナビゲーション装置に対して、店舗及び又は施設に係る情報を提供するナビゲーション装置のサービス装置を構成することになる。
【００９０】
【発明の効果】
上述のように本発明によれば、ユーザーにより地図上に設定されたアイコンを基準にして、ユーザーの嗜好に合致する店舗等のジャンル、該ジャンルにおいてユーザーの嗜好に合致する傾向を検出し、これらの検出結果に基づいて、店舗及び又は施設に係る情報を選択的にユーザーに提供することにより、ユーザーに負担を強いることなく、ユーザーに有意義な情報を的確に提供することができる。
【図面の簡単な説明】
【図１】本発明の第１の実施の形態に係るサービス提供システムを示すブロック図である。
【図２】傾向を示す情報の説明に供する図表である。
【図３】中華料理店のアイコンを示す平面図である。
【図４】ラーメン店のアイコンを示す平面図である。
【図５】図１のサービス提供システムにおけるカーナビゲーション装置の中央処理ユニットにおける処理手順を示すフローチャートである。
【図６】図５の処理手順の説明に供する図表である。
【図７】傾向の判定の説明に表する図表である。
【図８】図１のサービス提供システムにおけるダウンロードサーバーの説明に供するフローチャートである。
【図９】ダウンロード結果の表示画面を示す平面図である。
【図１０】第５の実施の形態に係るサーバーの処理手順を示すフローチャートである。
【図１１】他の実施の形態に係るサービス提供システムを示すブロック図である。
【符号の説明】
１……サービス提供システム、２、２１……カーナビゲーション装置、３……ダウンロードサーバー、４……インターネット、１０……表示部、１２……中央処理ユニット、２２……ＰＤＡ
【図１】
2004037292.tif 000003
【図２】
2004037292.tif 000004
【図３】
2004037292.tif 000005
【図４】
2004037292.tif 000006
【図５】
2004037292.tif 000007
【図６】
2004037292.tif 000008
【図７】
2004037292.tif 000009
【図８】
2004037292.tif 000010
【図９】
2004037292.tif 000011
【図１０】
2004037292.tif 000012
【図１１】
2004037292.tif 000013